(57)【要約】【課題】ニースペースを形成することができ、使い勝手が良く、かつ収納スペースを無駄にしないキャビネットを提供する。【解決手段】本発明のキャビネットは、キャビネット本体１０と、キャビネット本体１０に対して水平に引き出し可能な収納部１００と、キャビネット本体１０に対する収納部１００の位置を規制する第１レール１１０等とを備えている。第１レール１１０等は、収納部１００が最も前方に引き出される引き出し位置と、収納部１００が最も後方に押し込まれる押し込み位置と、引き出し位置と押し込み位置との間の任意の中間位置とに、収納部１００を案内可能である。収納部１００の底板は、手前側に位置する水平な前部板１０３と、前部板１０３の後方に位置し、前部板１０３との接続部分を中心に水平状態と垂直状態との間で回動可能であり、押し込み位置で垂直状態とされて後方に上下方向に貫通する退避空間ｃを形成する後部板１０４とからなる。【選択図】図５
2008119440.tif 000002
【特許請求の範囲】
【請求項１】
キャビネット本体と、該キャビネット本体に対して水平に引き出し可能であり、上方が開口した収納部と、該キャビネット本体と該収納部との間に設けられ、該キャビネット本体に対する該収納部の位置を規制する規制手段とを備えたキャビネットにおいて、
前記規制手段は、前記収納部が最も前方に引き出される引き出し位置と、該収納部の前端が前記キャビネット本体の前端よりも後方に位置し、該キャビネット本体の内部で該収納部の前方に空間が形成されるように、該収納部が最も後方に押し込まれる押し込み位置と、該引き出し位置と該押し込み位置との間の任意の中間位置とに、該収納部を該キャビネット本体に対して案内可能であり、
該収納部の底板は、手前側に位置する水平な前部板と、該前部板の後方に位置し、該前部板との接続部分を中心に水平状態と垂直状態との間で回動可能であり、該押し込み位置で該垂直状態とされて後方に上下方向に貫通する退避空間を形成する後部板とからなることを特徴とするキャビネット。
【請求項２】
前記収納部は、前記引き出し方向で位置決めされ、前記垂直状態の前記後部板の背面に位置して、該後部板を該垂直状態から前記水平状態へ回動不能にするストッパー部材を有する請求項１記載のキャビネット。
【請求項３】
前記収納部は前記引き出し方向の左右に収納側板を有し、各該収納側板と前記後部板との間には、該後部板を磁力により前記垂直状態に保持する磁着手段が設けられている請求項１記載のキャビネット。
【請求項４】
前記中間位置は前記収納部の前端が前記キャビネット本体の前面と面一となる位置である請求項１乃至３のいずれか１項記載のキャビネット。
【請求項５】
前記規制手段は、前記キャビネット本体に固定され、前記押し込み位置における前記収納部の前端位置を越えない長さで引き出し方向に延びる第１ガイド面をもつ第１ガイド部材と、
該第１ガイド面に沿って案内され、該引き出し方向に延びる第２ガイド面をもつ第２ガイド部材と、
該第２ガイド面に沿って案内され、該引き出し方向に延びるとともに、該収納部が該押し込み位置にあるときに前記垂直状態の前記後部板が後方に前記退避空間を確保する中間部材と、
該中間部材に固定され、該引き出し方向に延びる第３ガイド面をもつ第３ガイド部材とからなり、
該収納部は該第３ガイド面によって案内されている請求項１乃至４のいずれか１項記載のキャビネット。
【請求項６】
前記キャビネット本体は前記引き出し方向の左右にキャビネット側板を有し、各該キャビネット側板の内面には左右で対をなすように前記第１ガイド部材及び前記第２ガイド部材が上下で設けられ、上下の前記第２ガイド面には左右で対をなすように前記中間部材が跨っており、両該中間部材には左右で対をなすように前記第３ガイド部材が固定されている請求項５記載のキャビネット。
【請求項７】
前記中間位置より後方に前記収納部を押し込むことができないようにするロック機構を備えている請求項１乃至６のいずれか１項記載のキャビネット。
【請求項８】
前記キャビネット本体の上面には、洗面器、手洗器及びシンクの少なくとも１種からなる水槽と該水槽に向けて吐水可能な水栓装置とが設けられ、
該キャビネット本体の後部には、該水栓装置に接続されて水を供給する供給管と、該水槽の排出口に接続された排水管とが前記退避空間内に配置されている請求項１乃至７のいずれか１項記載のキャビネット。
【発明の詳細な説明】
【技術分野】
【０００１】
本発明はキャビネットに関する。
【背景技術】
【０００２】
特許文献１の図１に従来のキャビネットが開示されている。このキャビネットは、キャビネット本体と、キャビネット本体の上面に設けられたカウンター一体型の洗面器と、洗面器の下側であってキャビネット本体に対して水平に引き出し可能な収納部と、キャビネット本体と収納部との間に設けられ、キャビネット本体に対する収納部の位置を規制するレール装置とを備えている。レール装置は、収納部が最も前方に引き出される「引出し位置」と、最も後方に押し込まれる「押し込み位置」とに、収納部をキャビネット本体に対して案内可能である。収納部の奥行きはキャビネット本体の奥行きよりも小さく形成され、収納部の背板部分には手前側に凹んだ形状の凹部が設けられている。
【０００３】
このような構成である従来のキャビネットでは、収納部を「押し込み位置」に位置させたときに、洗面器の排水口に接続された排水管を収納部の凹部に挿通させて、収納部と排水管との干渉を避けることが可能である。このため、収納スペースを確保しつつ、収納部をできる限りキャビネット本体の奥側に位置させることができ、収納部の前方に、椅子等に座ってキャビネットを使用する人の膝が入る程度の空間（ニースペース）を大きく形成することができている。
【０００４】
また、特許文献２の図４に従来の別のキャビネットが開示されている。このキャビネットは、キャビネット本体と、キャビネット本体に対して水平に引き出し可能な収納部と、キャビネット本体と収納部との間に設けられ、収納部の位置を規制するレール装置とを備えている。レール装置は、収納部が最も前方に引き出される「引き出し位置」と、最も後方に押し込まれる「押し込み位置」と、「引き出し位置」と「押し込み位置」との間の「中間位置」とで収納部を一度停止させ、さらに強い操作力を作用させると収納部が移動するように案内可能である。
【０００５】
このような構成である従来のキャビネットでは、椅子等に座ってキャビネットを使用するときは、収納部を「押し込み位置」に位置させて膝が十分入る空間（ニースペース）をキャビネット本体の内部に形成することができる。このため、使用者は椅子等に座ったままキャビネットに近づいてキャビネットを使用することができる。
【０００６】
【特許文献１】特開２００４−１１３４８１号公報
【特許文献２】実開平５−７２２３０号公報
【発明の開示】
【発明が解決しようとする課題】
【０００７】
しかし、上記特許文献１に開示されている従来のキャビネットでは、ニースペースが常に形成されているものであるため、キャビネットの収納部も常に「押し込み位置」に位置し、収納部が使用されるときのみ前方へ引き出されるものである。収納部の「押し込み位置」は、ニースペースを確保するために収納部の前面がキャビネット本体の前面よりかなり後方である。このような収納部は引き出しづらい。つまり、このキャビネットは収納部の使い勝手が悪いものであった。
【０００８】
この点、特許文献２に開示されている従来のレール装置を特許文献１のキャビネットに採用すれば、収納部が「中間位置」に位置することにより、引き出しやすくすることが可能となり得る。
【０００９】
しかしながら、このキャビネットであっても、使用者によっては、当分の間は椅子等に座らず、ニースペースを形成せずにキャビネットを使用することが考え得る。その場合には、収納部は「中間位置」と「引き出し位置」との間のみで往復移動されて使用される。つまり、収納部を「押し込み位置」まで押し込むことがない。この場合には、背板部分の凹部で排水管を挿通させることにより収納部と排水管との干渉を避ける必要がないにもかかわらず、凹部の分だけ収納スペースが少なくなってしまう。
【００１０】
本発明は、上記従来の実情に鑑みてなされたものであって、ニースペースを形成することができ、使い勝手が良く、かつ収納スペースを無駄にしないキャビネットを提供することを解決すべき課題としている。
【課題を解決するための手段】
【００１１】
本発明のキャビネットは、キャビネット本体と、該キャビネット本体に対して水平に引き出し可能であり、上方が開口した収納部と、該キャビネット本体と該収納部との間に設けられ、該キャビネット本体に対する該収納部の位置を規制する規制手段とを備えたキャビネットにおいて、
前記規制手段は、前記収納部が最も前方に引き出される引き出し位置と、該収納部の前端が前記キャビネット本体の前端よりも後方に位置し、該キャビネット本体の内部で該収納部の前方に空間が形成されるように、該収納部が最も後方に押し込まれる押し込み位置と、該引き出し位置と該押し込み位置との間の任意の中間位置とに、該収納部を該キャビネット本体に対して案内可能であり、
該収納部の底板は、手前側に位置する水平な前部板と、該前部板の後方に位置し、該前部板との接続部分を中心に水平状態と垂直状態との間で回動可能であり、該押し込み位置で該垂直状態とされて後方に上下方向に貫通する退避空間を形成する後部板とからなることを特徴とする。
【００１２】
このような構成である本発明のキャビネットは、収納部が規制手段により「中間位置」にも案内されるので、その位置から収納部を容易に引出すことができる。
【００１３】
また、キャビネット本体の後方内部に排水管等が挿通されている場合、後部板を垂直状態に保持して収納部後方に退避空間を形成する。この退避空間に排水管等を挿通して収納部と排水管等との干渉を回避できる。それにより、収納部をキャビネット本体の奥へ押し込むことができ、収納部の前方に広いニースペースが形成される。このような状況では後部板を垂直状態に保持するが、それ以外の状況では後部板を水平状態にして、後部板の上面にも物を載置できるようにして収納部を使用することができる。
【００１４】
したがって、本発明のキャビネットは、ニースペースを形成することができ、使い勝手が良く、かつ収納スペースを無駄にしない。
【００１５】
本発明のキャビネットにおいて、収納部は、引き出し方向で位置決めされ、垂直状態の後部板の背面に位置して、後部板を垂直状態から水平状態へ回動不能にするストッパー部材を有することが好ましい。
【００１６】
この場合、収納部を引き出したり、押し込んだりする際等に生じる衝撃により後部板が水平状態に回動してしまうことを防止できるため、後部板の垂直状態を確実に維持することができる。また、後部板を水平状態にして収納部を使用する場合、ストッパー部材を収納部の後方に位置させれば、収納物が収納部の後方に落下することを防止することができる。また、ストッパー部材を収納物の直後に位置させれば、収納部内で収納物が転倒することを防止することができる。
【００１７】
本発明のキャビネットにおいて、収納部は引き出し方向の左右に収納側板を有し、各収納側板と後部板との間には、後部板を磁力により垂直状態に保持する磁着手段が設けられていることが好ましい。
【００１８】
この場合、後部板が容易に垂直状態に保持される。特に、収納部を引き出したり、押し込んだりしても、後部板の垂直状態を維持することができる。
【００１９】
本発明のキャビネットにおいて、中間位置は収納部の前端がキャビネット本体の前面と面一となる位置であることが好ましい。
【００２０】
この場合、収納部を「中間位置」に位置させたときに、収納部とキャビネット本体との一体感が得られて外観がすっきりする。
【００２１】
キャビネット本体は前面上部に幕板を有し、収納部の前端が幕板の前面と面一となる位置を「中間位置」とすることができる。このようにすれば、「中間位置」において、収納部とキャビネット本体との一体感が増し、外観がよりすっきりする。幕板の表面材と収納部の表面材とを同じ素材のものにすれば、収納部とキャビネット本体との一体感がさらに増して、外観がよりすっきりとしたものとなる。
【００２２】
また、上端を中心に垂直状態から奥側に回動可能であり、一定の回動角で固定可能な幕板を採用することができる。このようにすれば、収納部を「押し込み位置」に位置させてニースペースを形成させるときに、幕板を一定の回動角で固定させれば、キャビネット本体の前方を大きく開口させることができる。このようにすれば、使用者は、ニースペースへの足の出し入れをスムーズに行なうことができる。さらに、幕板の上方に固定幕板を設け、固定幕板に対して幕板を回動可能に取り付けることができる。このようにすれば、幕板が一定の回動角で固定されている状態であっても、キャビネット本体の前方上方からはキャビネット本体内部を見えづらくすることができる。
【００２３】
本発明のキャビネットにおいて、規制手段は、キャビネット本体に固定され、押し込み位置における収納部の前端位置を越えない長さで引き出し方向に延びる第１ガイド面をもつ第１ガイド部材と、第１ガイド面に沿って案内され、引き出し方向に延びる第２ガイド面をもつ第２ガイド部材と、第２ガイド面に沿って案内され、引き出し方向に延びるとともに、収納部が該押し込み位置にあるときに垂直状態の後部板が後方に退避空間を確保する中間部材と、中間部材に固定され、引き出し方向に延びる第３ガイド面をもつ第３ガイド部材とからなり、収納部は第３ガイド面によって案内されていることが好ましい。
【００２４】
この場合、収納部は第１ガイド部材、第２ガイド部材、中間部材及び第３ガイド部材を介してキャビネット本体に取り付けられていることとなる。このため、「引き出し位置」において、上方が開口した収納部をキャビネット本体の前方に露出するように引き出すことができ、収納部への物の出し入れが容易に行うことができる。また、収納部が「押し込み位置」に位置するときには、第１ガイド部材、第２ガイド部材、中間部材及び第３ガイド部材の全てが収納部の前端位置より後方に位置する。このため、収納部を「押し込み位置」に位置させてニースペースが形成されたときに、第１ガイド部材等の規制手段が露出せず、ニースペースの内面に凹凸が生じないため、キャビネットの使用者の足等が引っかかることがなく、足の出し入れがスムーズに行なうことができる。また、この際、第１ガイド部材等の規制手段が露出していないので、すっきりとした外観となっている。
【００２５】
本発明のキャビネットにおいて、キャビネット本体は引き出し方向の左右にキャビネット側板を有し、各キャビネット側板の内面には左右で対をなすように第１ガイド部材及び第２ガイド部材が上下で設けられ、上下の第２ガイド面には左右で対をなすように中間部材が跨っており、両中間部材には左右で対をなすように第３ガイド部材が固定されていることが好ましい。
【００２６】
この場合、収納部は、左右のキャビネット側板から第１ガイド部材、第２ガイド部材、中間部材及び第３ガイド部材を介して案内されていることになる。このため、収納部がしっかりと取り付けられ、収納部を引き出したり、押し込んだりする操作をスムーズに行うことができる。
【００２７】
本発明のキャビネットにおいて、中間位置より後方に収納部を押し込むことができないようにするロック機構を備えていることが好ましい。
【００２８】
この場合、使用者が椅子等に座らずに使用するとき、収納部を「中間位置」と「引き出し位置」との間のみで往復移動させて使用するため、ロック機構により、収納部を「中間位置」より後方に押し込むことができないようにすることができる。この状態では、使用者の意志に反して収納部が「中間位置」より後方に押し込まれてしまうことを防止することができる。また、ロック機構を解除すれば、収納部を「押し込み位置」まで押し込むことができ、椅子等に座ってキャビネットを使用する人の膝が十分に入る程度のニースペースを容易に形成することができる。
【００２９】
ロック機構は、収納部が中間位置より前方に引き出された状態で切換操作可能であることができる。
【００３０】
この場合、使用者は、切換操作をした後、収納部を後方に押し込めば、収納部が「中間位置」より後方に移動可能か否かを実際に確認することができ、確実にロック機構の切換を行なえるとともに、無駄な操作をしないで済む。
【００３１】
ロック機構は、左右の中間部材の下方で渡し掛けられた渡し板に設けられ、収納部が中間位置にあるときに水平状態の後部板の後端が当接する当り止め部を有するものにすることができる。
【００３２】
この場合、収納部の後部板を水平状態にすると、渡し板に設けられた当り止め部に後部板の後端が当接して、収納部は中間部材に対してそれ以上の後方への移動が不能となる。この状態では、収納部と中間部材とが一体になって後方に移動するため、中間部材がキャビネット本体の背板に当接すると、中間部材及び収納部はそれ以上後方へ移動不能な「中間位置」となる。つまり、収納部が「中間位置」より後方へ押し込むことができない状態になる。こうして、収納部の後部板を回動操作するのみで容易にロック機構を切り替えることができる。
【００３３】
ロック機構は、キャビネット本体と中間部材との間に設けられ、キャビネット本体に対して中間部材を移動不能に固定する係合部材を有するものにすることができる。
【００３４】
この場合、中間部材がキャビネット本体に対して移動不能に固定されると、中間部材に固定された第３ガイド部材の第３ガイド面に案内されている収納部は、中間部材よりも後方へ押し込むことができなくなる。つまり、この状態で収納部を「中間位置」より後方へ押し込むことができないロック状態にすることができる。また、この状態で収納部を「中間位置」と「引き出し位置」との間のみで往復移動させて使用する場合、中間部材が往復移動することなく、収納部のみが往復移動することになるため、収納部の引き出し及び押し込み操作を軽く行なうことができる。
【００３５】
また、第３ガイド部材は、収納部を中間部材の方向に押し込む際に生じる衝撃を緩和する緩衝機構を有するものにすることができる。この場合、収納部を「中間位置」に押し込む場合、衝撃力が緩和され、収納部は緩やかに引き込まれて閉止される。このため、収納部を静かに確実に閉止することができる。
【００３６】
本発明のキャビネットにおいて、キャビネット本体の上面には、洗面器、手洗器及びシンクの少なくとも１種からなる水槽と、水槽に向けて吐水可能な水栓装置とが設けられ、キャビネット本体の後部には、水栓装置に接続されて水を供給する供給管と、水槽の排出口に接続された排水管とが退避空間内に配置されていることが好ましい。
【００３７】
この場合、退避空間によって収納部が水供給管及び排水管との干渉を回避して、「押し込み位置」に押し込まれるので、収納部の前端をキャビネット本体の奥側に位置させることができ、広いニースペースを確保することができる。
【発明を実施するための最良の形態】
【００３８】
以下、本発明を具体化した実施例１、２を図面を参照しつつ説明する。
【実施例１】
【００３９】
図１に示すように、実施例１のキャビネットは、キャビネット本体１０の上方に収納付鏡２０及び照明２１を備えた洗面化粧台に適用されるものである。キャビネット本体１０の上面には、水栓装置３０が取り付けられたカウンター一体型の洗面器４０が設けられている。
【００４０】
図２〜図７に示すように、実施例１のキャビネットは、キャビネット本体１０と、キャビネット本体１０に対して水平に引き出し可能であり、上方が開口した収納部１００とを備えている。
【００４１】
キャビネット本体１０は、前面上部に固定される固定幕板５０、収納部１００の引き出し方向の左右両面に固定されるキャビネット側板１１及び後面に固定される背板１２を有している。
【００４２】
固定幕板５０の下方には、幕板用ヒンジ５２を介して、垂直状態と水平状態との間で回動可能な回動幕板５１が設けられている。幕板用ヒンジ５２は、９０度の角度を保持する機能を有している。このため、図５及び図６に示すように、回動幕板５１は、垂直状態から奥側に回動させて水平状態に保持可能である。固定幕板５０及び回動幕板５１の表面は、同じ素材の表面材で形成されている。
【００４３】
図２〜図４に示すように、左右のキャビネット側板１１の奥側内面には、収納部１００の引き出し方向に延びる第１レール１１０が２本、上下に間隔を空けて取り付けられている。各第１レール１１０は、図６に示すように、収納部１００が「押し込み位置」に位置した際に、前面板１０１の前面位置を越えない長さのものである。図２〜図４に示すように、各第１レール１１０には、第２レール１２０がスライド自在に取り付けられている。第２レール１２０は第１レール１１０と略同じ長さのものである。各上下２本の第２レール１２０に跨って、平板状の中間部材１４０がスライド自在に取り付けられている。各中間部材１４０の外側面には、第２レール１２０に係合して中間部材１４０をスライド自在に案内する第１案内部材１４１が設けられている。中間部材１４０の引き出し方向の長さは、第１レール１１０及び第２レール１２０よりも若干長い。各中間部材１４０の内面には、第３レール１３０が取り付けられている。第３レール１３０の引き出し方向の長さは中間部材１４０よりも短い。左右で対をなす第３レール１３０に収納部１００がスライド自在に取り付けられている。収納部１００の左右外側面には、第３レール１３０に係合して収納部１００をスライド自在に案内する第２案内部材１０２が設けられている。収納部１００の引き出し方向の長さは、中間部材１４０と略同じである。このように、キャビネット本体１０と収納部１００との間には、第１レール１１０、第２レール１２０、中間部材１４０及び第３レール１３０からなり、収納部１１０をキャビネット本体１０に対して案内可能な規制手段が設けられている。
【００４４】
収納部１００は、底部の手前側に固定される前部板１０３と、前部板１０３の後方に位置する後部板１０４とを有している。後部板１０４は、前部板１０３との接続部分に設けられた底板用ヒンジ１０５を介して水平状態と垂直状態との間を回動可能になっている。後部板１０４は、前部板１０３の反対側の端部に後部板１０４に対して直角方向の延びる仕切り板１０６を有している。後部板１０４の左右両側内面の２箇所には、鉄片１０９が取り付けられている。
【００４５】
また、収納部１００は、前面に固定される前面板１０１と左右側面に固定される収納側板１０７とを有している。前面板１０１の表面は、固定幕板５０及び回動幕板５１の表面と同じ素材の表面材で形成されている。左右の収納側板１０７の奥行きは、前部板１０３の後方に、後部板１０４を水平状態に位置させたときの前面板１０１の後面から仕切り板１０６の後面までの長さよりも長い。左右の収納側板１０７の内面には、磁石内蔵ストッパー１０８が取り付けられている。磁石内蔵ストッパー１０８は、後部板１０４が回動されて垂直状態に位置したときに、鉄片１０９を磁着する位置に取り付けられている。
【００４６】
左右の中間部材１４０は、下方で両中間部材１４０に渡し掛けられた渡し板１４２を有している。渡し板１４２には、上面の左右２箇所に当り止め部１４３が設けられている。当り止め部１４３は、後部板１０４が水平状態に位置したときに、当り止め部１４３の前面と仕切り板１０６の後面とが当接する位置に取り付けられている。
【００４７】
図１に示すように、水栓装置３０は、床から立ち上がり、止水栓３１ｓを有する給水管３１及び止水栓３２ｓを有する給湯管３２に接続されている。洗面器４０の排水口４１は、床から立ち上がり、排水トラップ４２を有する排水管４３に接続されている。給水管３１、給湯管３２及び排水管４３は、図７に示すようにキャビネット本体１０の後方内部で上下方向に挿通されている。
【００４８】
実施例１のキャビネットでは、図２に示すように、第２レール１２０は第１レール１１０に案内されて前方にスライドし、中間部材１４０は第２レール１２０に案内されて前方にスライドし、収納部１００は第３レール１３０に案内されて前方にスライドする。この状態で収納部１００が最も前方に引き出される「引き出し位置」となる。
【００４９】
収納部１００を「引き出し位置」にして、後部板１０４を水平状態にすると、仕切り板１０６の後面が当り止め部１４３の前面に当接する。これにより、収納部１００は中間部材１４０に対してそれ以上の後方への移動が不能となる。この状態で、収納部１００を後方へ押し込むと、収納部１００と中間部材１４０とが一体になって後方に移動する。図３に示すように、中間部材１４０の後端が背板１２の前面に当接すると、中間部材１４０及び収納部１００はそれ以上後方へ移動不能な「中間位置」となる。「中間位置」より後方に収納部１００を押し込むことができないようにするロック機構は、仕切り板１０６を有する後部板１０４及び当り止め部１４３である。収納部１００の「中間位置」では、前面板１０１、固定幕板５０及び回動幕板５１の前面が面一である。
【００５０】
後部板１０４が水平状態に位置しているときは、後部板１０４上にも収納物を載置できる。仕切り板１０６は後部板１０４上に載置された収納物が後方に転落するのを防止する。
【００５１】
図５に示すように、収納部１００を「引き出し位置」にして、後部板１０４を垂直状態にすると、鉄片１０９が磁石内蔵ストッパー１０８に磁着されて、後部板１０４は垂直状態で保持される。このため、仕切り板１０６の後面が当り止め部１４３に当接しなくなるので、収納部１００は中間部材１４０に対して後方への移動が可能となる。この状態で収納部１００を後方へ押し込むと、図６に示すように、中間部材１４０は後端が背板１２の前面に当接するまでスライドし、収納部１００は収納側板１０７の後端が背板１２の前面に当接するまでスライドする。この状態で収納部１００が最も後方に押し込まれる「押し込み位置」となる。
【００５２】
図６及び図７に示すように、後部板１０４が垂直状態に保持されると、収納部１００の後方に、後部板１０４の後面及び左右の収納側板１０７の後部内面に囲まれた退避空間ｃが形成される。この退避空間ｃは、収納部１００が「押し込み位置」に位置する際に、給水管３１、給湯管３２及び排水管４３を挿通する。
【００５３】
回動幕板５１は、使用者が収納部１００を「中間位置」と「引き出し位置」との間のみで往復移動させてキャビネットを使用する際には、垂直状態に位置させる。また、使用者がニースペースを形成するために収納部１００を「押し込み位置」に位置させてキャビネットを使用する際には、回動幕板５１は後方に回動して水平状態に保持させる。
【００５４】
このような構成である実施例１のキャビネットにおいて、収納部１００が第１レール１１０等の規制手段により「中間位置」にも案内されるので、その位置から収納部１００を容易に引き出すことができる。また、後部板１０４を垂直状態に保持して収納部１００の後方に退避空間ｃを形成すれば、退避空間ｃに給水管３１等を挿通し、収納部１００が「押し込み位置」へ押し込むことができる。収納部１００の前方には広いニースペースが形成される。収納部１００を「押し込み位置」に押し込まず、「引き出し位置」と「中間位置」との間を往復移動させて収納部１００を使用するときは、後部板１０４を水平状態にして、後部板１０４の上面にも物を載置できるようにして収納部１００を使用することができる。
【００５５】
したがって、実施例１のキャビネットは、ニースペースを形成することができ、使い勝手が良く、収納スペースを無駄にしない。
【００５６】
また、後部板１０４は、磁石内蔵ストッパー１０８によって、容易に垂直状態に保持される。特に、収納部１００を引き出したり、押し込んだりしても、後部板１０４の垂直状態を維持することができる。
【００５７】
また、収納部１００の「中間位置」は、前面板１０１、固定幕板５０及び回動幕板５１の前面と面一になる位置とされ、それらの表面材は同じ素材である。このため、収納部１００とキャビネット本体１０との一体感が得られて外観がすっきりとしたものになっている。
【００５８】
また、収納部１００を「押し込み位置」にしてニースペースを形成する際、回動幕板５１を水平状態に保持して、キャビネット本体１０の前方を大きく開口させることができる。このため、使用者は、ニースペースへの足の出し入れをスムーズに行うことができる。さらに、固定幕板５０がキャビネット本体１０の前面上部に固定されているので、回動幕板５１を水平状態に保持した場合でも、キャビネット本体１０の前方からは洗面器４０の下面が見えづらくなっている。
【００５９】
また、収納部１００は、「引き出し位置」において、収納部１００の上方開口をキャビネット本体１０の前方に露出するように引き出すことができ、収納部１００への物の出し入れを容易に行うことができる。
【００６０】
また、収納部１００を「押し込み位置」に位置させてニースペースを形成する際、第１レール１１０等の規制手段が収納部１００の前面板１０１より後方に位置するため、第１レール１１０等の規制手段が露出せず、ニースペースの内面に凹凸が生じない。このため、使用者の足が引っかかることがなく、足の出し入れがスムーズに行うことができる。また、この際、第１レール１１０等の規制手段が露出していないので、すっきりとした外観となっている。
【００６１】
また、収納部１００は第１レール１１０等の規制手段を介して案内されているため、収納部１００がしっかりと取り付けられ、収納部１００を引き出したり、押し込んだりする操作をスムーズに行うことができる。
【００６２】
また、使用者が椅子等に座らずに使用するとき、収納部１００を「中間位置」と「引き出し位置」との間のみで往復移動させて使用するため、ロック機構により、収納部１００を「中間位置」より後方に押し込むことができないようにすることができる。この状態では、使用者の意志に反して収納部１００が「中間位置」より後方に押し込まれてしまうことを防止することができる。また、ロック機構を解除すれば、収納部１００を「押し込み位置」まで押し込むことができ、椅子等に座ってキャビネットを使用する人の膝が十分に入る程度のニースペースを容易に形成することができる。
【００６３】
また、収納部１００を「引き出し位置」にして、後部板１０４を回動させてロック機構の切替え操作が行なえるので、使用者は、切換操作をした後、収納部１００を後方に押し込めば、収納部１００が「中間位置」より後方に移動可能か否かを実際に確認することができ、確実にロック機構の切換を行なえるとともに、無駄な操作をしないで済む。
【００６４】
また、後部板１０４を水平状態及び垂直状態に回動操作するのみで容易にロック機構を切り替えることができる。
【００６５】
また、後部板１０４を垂直状態にして、収納部１００を「押し込み位置」まで押し込むと、収納部１００の後方に形成される退避空間ｃに湯水供給管３１、３２及び排水管４３が挿通され、収納部１００の前面板１０１をキャビネット本体１０の奥側に位置させることができ、広いニースペースを確保することができる。
【実施例２】
【００６６】
図８〜図１０に示すように、実施例２のキャビネットでは、左右のキャビネット側板１１の間に架設されている桟木１３の左右上面に第１係合部材６１が取り付けられている。第１係合部材６１は、本体６１ａとピン６１ｂとを有している。本体６１ａは、ピン６１ｂが貫通され、ピン６１ｂの先端をキャビネット側板１１の方向に突出可能に収納している。本体６１ａから突出しているピン６１ｂの後端を押圧することにより、ピン６１ｂの先端が本体６１ａから突出する。突出したピン６１ｂの先端は本体６１ａに設けられた復帰ボタン６１ｃにより本体６１ａ内に収納される。
【００６７】
中間部材２４０は、内面の後方下端に、第２係合部材６２が取り付けられている。第２係合部材６２は凹部６２ａを有し、凹部６２ａは第１係合部材６１から突出したピン６１ｂの一端が挿入可能とされている。第１係合部材６１と第２係合部材６２とにより係合部材を構成している。
【００６８】
第３レール２３０は、中間部材２４０に対して収納部２００を押し込む際に生じる衝撃を緩和する緩衝機構２３１を内蔵している。
【００６９】
収納部２００は、底部の手前側に固定される前部板２０３と、前部板２０３の後方中央部に位置する後部板２０４とを有している。後部板２０４の上面には、取っ手２０４ｔが取り付けられている。収納部２００の左右の側部には、引き出し方向に延びる案内部材２０１が設けられている。左右の案内部材２０１には、引き出し方向にスライド可能なストッパー部材２０２が設けられている。図１０に示すように、垂直状態の後部板２０４の背面にストッパー部材２０２を位置させ、後部板１０４を垂直状態から水平状態へ回動不能にすることができるようになっている。他の構成は実施例１と同様である。このため、同一の構成については、同一の符号を付し、詳細な説明は省略する。
【００７０】
このような構成である実施例２のキャビネットにおいて、後部板２０４を垂直状態にして収納部２００を使用する場合、取っ手２０４ｔを把持して後部板２０４を垂直状態に回動させた後、ストッパー部材２０２を後部板２０４の背面に位置するように前方へスライドさせる。このようにすれば、収納部２００を引き出したり、押し込んだりする際等に生じる衝撃により後部板２０４が水平状態に回動してしまうことを防止できるため、後部板２０４の垂直状態を確実に維持することができる。
【００７１】
また、後部板２０４を水平状態にして収納部２００を使用する場合、ストッパー部材２０２を収納部２００の後方に位置させれば、収納物が収納部２００の後方に落下することを防止することができる。また、ストッパー部材２０２を収納物の直後に位置させれば、収納部２００内で収納物が転倒することを防止することができる。
【００７２】
また、実施例２のキャビネットでは、第１係合部材６１のピン６１ｂの先端が突出し、第２係合部材６２の凹部にピン６１ｂを挿入することにより、中間部材２４０がキャビネット本体１０に対して移動不能に固定される。この状態で収納部２００を「中間位置」より後方へ押し込むことができないロック状態にすることができる。また、この状態で収納部２００を「中間位置」と「引き出し位置」との間のみで往復移動させて使用する場合、中間部材２４０が往復移動することなく、収納部２００のみが往復移動することになるため、収納部２００の引き出し及び押し込み操作を軽く行なうことができる。
【００７３】
また、収納部２００を「中間位置」に押し込む場合、第３レール２３０に内蔵された緩衝機構２３１により、その際の衝撃力が緩和され、収納部２００は緩やかに引き込まれて閉止される。このため、収納部２００を静かに確実に閉止することができる。
【００７４】
したがって、実施例２のキャビネットも、実施例１のキャビネットと同様に、本発明の作用効果を奏することができる。
【００７５】
実施例２においては、キャビネット本体１０に対して中間部材２４０を移動不能に固定する係合部材として、桟木１３に取り付けられた第１係合部材６１と中間部材２４０に取り付けられた第２係合部材６２とからなるものを採用している。この係合部材の変形例として、第２係合部材６２を中間部材２４０に取り付けずに、第１係合部材６１から突出したピン６１ｂの一端を直接、中間部材２４０の内面に当接させる構成にしても良い。この構成からなる係合部材では、ピン６１ｂを第２係合部材６２の凹部６２ａに挿入できるようにピン第２係合部材の取付位置を調整する必要がなくなり、ピン６１ｂの一端と中間部材２４０の内面との間に生じる摩擦力により、ピン６１ｂの一端が中間部材２４の内面に係合することになるため、キャビネット本体１０に対して中間部材２４０を容易に移動不能に固定することができる。また、第２係合部材６２が不要となるため、部品点数を少なくすることができる。
【００７６】
以上において、本発明を実施例１、２に即して説明したが、本発明は上記実施例１、２に制限されるものではなく、その趣旨を逸脱しない範囲で適宜変更して適用できることは言うまでもない。
【産業上の利用可能性】
【００７７】
本発明は洗面、手洗又はキッチン用のキャビネットに利用可能である。
【図面の簡単な説明】
【００７８】
【図１】実施例の洗面化粧台の一部切欠き正面図である。
【図２】実施例の収納部がロック状態で引き出し位置に位置する側面断面図である。
【図３】実施例の収納部がロック状態で中間位置に位置する側面断面図である。
【図４】実施例の収納部がロック状態で中間位置に位置する平面断面図である。
【図５】実施例の収納部がロック解除状態で引き出し位置に位置する側面断面図である。
【図６】実施例の収納部がロック解除状態で押し込み位置に位置する側面断面図である。
【図７】実施例の洗面化粧台の側面断面図である。
【図８】実施例２の収納部がロック状態で引き出し位置に位置する側面断面図である。
【図９】実施例２の収納部がロック状態で中間位置に位置する平面断面図である。
【図１０】実施例２の収納部がロック解除状態で押し込み位置に位置する側面断面図である。
【符号の説明】
【００７９】
１０…キャビネット本体
２０…収納付鏡
３０…水栓装置
４０…（カウンター一体型の）洗面器
５０…固定幕板
５１…回動幕板
６１…第１係合部材
６２…第２係合部材
１００、２００…収納部
１０１…前面板
１０３、２０３…前部板
１０４、２０４…後部板
１０７…収納側板
１０８…磁石内蔵ストッパー
１１０…第１レール
１２０…第２レール
１３０、２３０…第３レール
１４０、２４０…中間部材
１４２…渡し板
１４３…当り止め部
２０２…ストッパー部材
【図１】
2008119440.tif 000003
【図２】
2008119440.tif 000004
【図３】
2008119440.tif 000005
【図４】
2008119440.tif 000006
【図５】
2008119440.tif 000007
【図６】
2008119440.tif 000008
【図７】
2008119440.tif 000009
【図８】
2008119440.tif 000010
【図９】
2008119440.tif 000011
【図１０】
2008119440.tif 000012